(57)【要約】【課題】負帰還ループ内の信号の劣化を抑えつつ、負帰還ループ内の信号のレベルが過剰に大きくなることを回避すること。【解決手段】増幅装置１００は、増幅器１１０と、減算部１２０と、測定部１３０と、クリッピング回路１４０と、を備えている。増幅器１１０は、入力信号を増幅する。減算部１２０は、増幅器１１０へ入力される入力信号を、増幅器１１０によって増幅された信号により減算する。測定部１３０は、減算部１２０によって減算された入力信号の電力を測定する。クリッピング回路１４０は、測定部１３０によって測定された電力に基づいて、減算部１２０によって減算される前の入力信号の波形をクリッピングする。【選択図】図１
2010226477.tif 000002
【特許請求の範囲】
【請求項１】
入力信号を増幅する増幅器と、
前記増幅器へ入力される前記入力信号を、前記増幅器によって増幅された信号により減算する減算部と、
前記減算部によって減算された前記入力信号の電力を測定する測定部と、
前記測定部によって測定された電力に基づいて、前記減算部によって減算される前の前記入力信号の波形をクリッピングするクリッピング回路と、
を備えることを特徴とする増幅装置。
【請求項２】
前記減算部と前記クリッピング回路の間に設けられ、前記入力信号の帯域を制限するフィルタを備えることを特徴とする請求項１に記載の増幅装置。
【請求項３】
前記クリッピング回路は、前記測定部によって測定された電力に基づいてクリッピングレベルを変化させ、
前記フィルタは、前記クリッピングレベルの変化に応じてフィルタ形状を変化させる可変フィルタであることを特徴とする請求項２に記載の増幅装置。
【発明の詳細な説明】
【技術分野】
【０００１】
本発明は、増幅装置に関する。
【背景技術】
【０００２】
通信装置のアンプにおいては、信号の歪を補償するために負帰還型歪補償回路が用いられることがある。負帰還型歪補償回路は、たとえば、アンプの出力信号を直交復調して得たフィードバックベースバンド信号と、アンプへ入力される送信ベースバンド信号と、の差分をとることでアンプの出力信号の歪を補償する。
【０００３】
アンプの入出力特性は、温度や電源電圧などの影響で変化する。負帰還型歪補償回路では、ループゲインを大きくすると歪改善量が大きくなる。また、負帰還型歪補償回路では、ループゲインを大きくすると比較後の値は十分に小さな値になり、出力電力も入力電力に等しくなる。また、負帰還増幅器の入力信号とフィードバック信号の比較後における信号の振幅を検出し、負帰還ループ内で振幅レベルを制限する技術が開示されている（たとえば、下記特許文献１参照。）。
【先行技術文献】
【特許文献】
【０００４】
【特許文献１】特開昭６２−１１４３０９号公報
【発明の概要】
【発明が解決しようとする課題】
【０００５】
しかしながら、上述した従来技術では、アンプの飽和領域に達するような電圧の信号がアンプへ入力されると、ループゲインによって負帰還ループ内の信号のレベルが過剰に大きくなるという問題がある。負帰還ループ内の信号のレベルが過剰に大きくなると、たとえば、アンプの前段にある回路が破損し、あるいは破壊されるという問題がある。
【０００６】
また、アンプの飽和領域に達するような電圧の信号がアンプへ入力されると、信号の波形の歪を補償することができないという問題がある。また、最も飽和電力が小さい入出力特性に合わせてアンプに対する入力電力を設計すると、飽和電力が高い時でも電力が小さい領域を用いることになる。一般的にアンプは電力が大きい領域において増幅の効率がよいため、電力が小さい領域を用いると増幅の効率が劣化するという問題がある。
【０００７】
また、たとえば上記特許文献１のように、負帰還ループ内で振幅レベルを制限する場合は、アナログ信号の振幅レベルを制限することになる。このため、アナログ回路特有の現象により負帰還ループ内の信号が劣化するという問題がある。たとえば、信号を大きくする場合と小さくする場合で振幅制限された信号が非対称になる現象がある。
【０００８】
また、負帰還ループ内で振幅レベルを制限する場合は、信号の帯域がシステム仕様で容認された範囲の外に広がる場合もある。これに対して、負帰還ループ内にスペクトラムを整形するためのフィルタなどを挿入すると、挿入したフィルタが負帰還ループの動作に影響を与えるため、負帰還ループ内の信号が劣化するという問題がある。
【０００９】
本発明の一側面では、負帰還ループ内の信号の劣化を抑えつつ、負帰還ループ内の信号のレベルが過剰に大きくなることを回避することを目的とする。
【課題を解決するための手段】
【００１０】
第１の案では、入力信号を増幅する増幅器と、前記増幅器へ入力される前記入力信号を、前記増幅器によって増幅された信号により減算する減算部と、前記減算部によって減算された前記入力信号の電力を測定する測定部と、前記測定部によって測定された電力に基づいて、前記減算部によって減算される前の前記入力信号の波形をクリッピングするクリッピング回路と、を備えることとする。
【００１１】
好ましくは、前記減算部と前記クリッピング回路の間に設けられ、前記入力信号の帯域を制限するフィルタを備えることとする。
【００１２】
好ましくは、前記クリッピング回路は、前記測定部によって測定された電力に基づいて、クリッピングを行うクリッピングレベルを変化させ、前記フィルタは、前記クリッピングレベルの変化に応じてフィルタ形状を変化させる可変フィルタであることとする。
【発明の効果】
【００１３】
開示の増幅装置によれば、負帰還ループ内の信号の劣化を抑えつつ、負帰還ループ内の信号のレベルが過剰に大きくなることを回避することができるという効果を奏する。
【図面の簡単な説明】
【００１４】
【図１】実施の形態１にかかる増幅装置の構成を示すブロック図である。
【図２】実施の形態２にかかる増幅装置の構成を示すブロック図である。
【図３】図２に示した増幅装置の動作の一例を示すフローチャートである。
【図４】図３に示したアンプにおける増幅の効率を示すグラフである。
【図５】実施の形態３にかかる増幅装置の構成を示すブロック図である。
【図６】図５に示した増幅装置の動作の一例を示すフローチャートである。
【図７】実施の形態４にかかる増幅装置の構成を示すブロック図である。
【図８】図７に示した増幅装置における信号のスペクトラムを示すグラフである。
【図９】実施の形態５にかかる増幅装置の構成を示すブロック図である。
【図１０】図９に示した増幅装置の動作の一例を示すフローチャートである。
【図１１】図９に示した増幅装置における信号のスペクトラムを示すグラフである。
【図１２】図９に示した可変フィルタの具体例を示すブロック図である。
【図１３】実施の形態６にかかる増幅装置の構成を示すブロック図である。
【図１４】図１３に示した増幅装置の動作の一例を示すフローチャートである。
【図１５】実施の形態７にかかる増幅装置の構成を示すブロック図である。
【図１６】ＰＡＰＲリダクション回路によるクリッピングを示す図である。
【図１７】実施の形態８にかかる増幅装置の構成を示すブロック図である。
【図１８】図１７に示した増幅装置の動作の一例を示すフローチャートである。
【発明を実施するための形態】
【００１５】
以下に添付図面を参照して、この増幅装置の好適な実施の形態を詳細に説明する。
【００１６】
（実施の形態１）
（増幅装置の構成）
図１は、実施の形態１にかかる増幅装置の構成を示すブロック図である。図１に示すように、実施の形態１にかかる増幅装置１００は、増幅器１１０と、減算部１２０と、測定部１３０と、クリッピング回路１４０と、を備えている。増幅装置１００は、負帰還ループ（カルテシャンループ）によって信号の波形の歪を補償する増幅装置である。
【００１７】
増幅器１１０は、増幅装置１００に対する入力信号を増幅する。具体的には、増幅器１１０は、減算部１２０から出力された入力信号を増幅し、増幅した信号を出力する。たとえば、増幅器１１０は、増幅した信号を増幅装置１００の外部へ出力する。
【００１８】
減算部１２０は、増幅器１１０へ入力される入力信号を、増幅器１１０によって増幅された信号により減算する。具体的には、減算部１２０は、増幅器１１０から出力される信号の一部を取得し、取得した信号により、クリッピング回路１４０から出力された入力信号を減算する。そして、減算部１２０は、減算した入力信号を増幅器１１０へ入力する。
【００１９】
このように、減算部１２０および増幅器１１０は、信号を負帰還させながら増幅する負帰還ループになっている。測定部１３０は、減算部１２０によって減算された入力信号の電力を測定する。具体的には、測定部１３０は、減算部１２０から増幅器１１０へ出力される入力信号を取得し、取得した入力信号の電力を測定する。
【００２０】
クリッピング回路１４０は、測定部１３０によって測定された電力に基づいて、減算部１２０によって減算される前の入力信号の波形を所定のクリッピングレベルでクリッピングする。具体的には、クリッピング回路１４０は、減算部１２０の前段に設けられており、増幅装置１００に対する入力信号を取得してクリッピングを行う。そして、クリッピング回路１４０は、クリッピングを行った入力信号を減算部１２０へ出力する。
【００２１】
クリッピング回路１４０は、測定部１３０によって測定された電力が閾値を超えた場合に、測定部１３０によって測定される電力が閾値以下になるように入力信号の波形をクリッピングする。この場合の閾値は、増幅器１１０の飽和電力付近の閾値に設定する。
【００２２】
たとえば、クリッピング回路１４０は、測定部１３０によって測定された電力が閾値を超えた場合にクリッピングを行い、測定部１３０によって測定された電力が閾値を超えない場合はクリッピングを行わないようにする。
【００２３】
または、クリッピング回路１４０は、測定部１３０によって測定された電力が閾値を超えた場合はクリッピングレベルをダウンさせ、測定部１３０によって測定された電力が閾値を超えない場合はクリッピングレベルをアップさせるようにしてもよい。
【００２４】
また、クリッピング回路１４０は、クリッピングレベルをアップさせる場合は、クリッピングレベルをダウンさせる場合より低速でクリッピングレベルを変化させるようにしてもよい。これにより、クリッピングレベルが急激に増加し、増幅装置１００に対する入力信号のレベルが過剰に大きくなることを回避することができる。
【００２５】
このように、実施の形態１にかかる増幅装置１００によれば、増幅器１１０へ入力される入力信号の波形をクリッピングすることで、負帰還ループ内の信号のレベルが過剰に大きくなることを回避することができる。このため、負帰還ループ内の信号のレベルが過剰に大きくなって増幅器１１０の前段の部品が破壊されることを回避することができる。
【００２６】
また、温度変化などによって増幅器１１０の特性が変化しても安定して動作させることができるため、増幅器１１０における飽和領域付近の電力で増幅を行うことが可能になる。これにより、増幅器１１０における増幅効率を向上させることができる。
【００２７】
また、負帰還ループの前段において入力信号の波形をクリッピングすることで、負帰還ループ内の信号の劣化を抑えることができる。また、クリッピング回路１４０を負帰還ループの前段に設けることで、クリッピング回路１４０によって帯域が広がった信号の帯域を制限するフィルタを負帰還ループの前段に設けることが可能になる。このため、クリッピング回路１４０によって帯域が広がった信号の帯域を制限するフィルタを設けても、負帰還ループ内の信号の劣化を抑えることができる。
【００２８】
（実施の形態２）
（増幅装置の構成）
図２は、実施の形態２にかかる増幅装置の構成を示すブロック図である。図２に示すように、実施の形態２にかかる増幅装置１００は、クリッピング回路２１０と、比較器２２１，２２２と、ループゲイン用アンプ２３１，２３２と、直交変調器２４０と、アンプ２５０と、直交復調器２６０と、測定器２７０と、比較器２８０と、を備えている。
【００２９】
増幅装置１００には、送信ベースバンド信号としてＩｃｈ信号およびＱｃｈ信号が入力される。増幅装置１００は、入力されたＩｃｈ信号およびＱｃｈ信号の波形の歪を補償する。また、増幅装置１００は、入力されたＩｃｈ信号およびＱｃｈ信号を直交変調する。
【００３０】
クリッピング回路２１０には、入力信号としてＩｃｈ信号およびＱｃｈ信号が入力される。クリッピング回路２１０は、入力された各信号に対して、所定のクリッピングレベルでクリッピングを行う。具体的には、クリッピング回路２１０は、各信号の波形におけるクリッピングレベルを超えた部分をクリッピングレベルまで減衰させる。
【００３１】
具体的には、クリッピング回路２１０は、入力されたＩｃｈ信号およびＱｃｈ信号の電力Ｐｉｎを算出し、算出した電力をクリッピングレベルと比較する。算出した電力ＰｉｎがクリッピングレベルＶｔｈ以下である場合は、クリッピング回路２１０は、入力されたＩｃｈ信号およびＱｃｈ信号の値をそのままにする。
【００３２】
算出した電力ＰｉｎがクリッピングレベルＶｔｈより大きい場合は、クリッピング回路２１０は、入力されたＩｃｈ信号およびＱｃｈ信号の値をＶｔｈ／Ｐｉｎ倍する。これにより、Ｉｃｈ信号およびＱｃｈ信号の波形におけるクリッピングレベルを超えた部分がクリッピングレベルまで減衰される。
【００３３】
クリッピング回路２１０は、波形のクリッピングを行ったＩｃｈ信号を比較器２２１へ出力するとともに、波形のクリッピングを行ったＱｃｈ信号を比較器２２２へ出力する。また、クリッピング回路２１０は、比較器２８０からレベルダウン信号が出力されるとクリッピングレベルをダウンさせる。また、クリッピング回路２１０は、比較器２８０からレベルアップ信号が出力されるとクリッピングレベルをアップさせる。
【００３４】
比較器２２１，２２２、ループゲイン用アンプ２３１，２３２、直交変調器２４０、アンプ２５０および直交復調器２６０は、アンプ２５０の入力に、アンプ２５０の出力を逆位相で合成する負帰還ループになっている。
【００３５】
比較器２２１には、クリッピング回路２１０から出力されたＩｃｈ信号と、直交復調器２６０から出力されたＩｃｈ信号と、が逆位相で入力される。比較器２２１は、入力された各Ｉｃｈ信号を合成する。これにより、クリッピング回路２１０から出力されたＩｃｈ信号が、直交復調器２６０から出力されたＩｃｈ信号で減算される。比較器２２１は、合成したＩｃｈ信号をループゲイン用アンプ２３１へ出力する。
【００３６】
比較器２２２には、クリッピング回路２１０から出力されたＱｃｈ信号と、直交復調器２６０から出力されたＱｃｈ信号と、が逆位相で入力される。比較器２２２は、入力された各Ｑｃｈ信号を合成する。これにより、クリッピング回路２１０から出力されたＱｃｈ信号が、直交復調器２６０から出力されたＱｃｈ信号で減算される。比較器２２２は、合成したＱｃｈ信号をループゲイン用アンプ２３２へ出力する。
【００３７】
ループゲイン用アンプ２３１は、比較器２２１から出力されたＩｃｈ信号を増幅し、増幅したＩｃｈ信号を直交変調器２４０へ出力する。ループゲイン用アンプ２３２は、比較器２２２から出力されたＱｃｈ信号を増幅し、増幅したＱｃｈ信号を直交変調器２４０へ出力する。ループゲイン用アンプ２３１，２３２における利得を変更することで、アンプ２５０による信号の歪の圧縮率を調整することができる。
【００３８】
直交変調器２４０は、ループゲイン用アンプ２３１から出力されたＩｃｈ信号と、ループゲイン用アンプ２３２から出力されたＱｃｈ信号と、を直交変調する。直交変調器２４０によって直交変調された信号はＲＦ（Ｒａｄｉｏ  Ｆｒｅｑｕｅｎｃｙ）信号になる。直交変調器２４０は、直交変調した信号をアンプ２５０へ出力する。
【００３９】
アンプ２５０は、直交変調器２４０から出力された信号を増幅する。アンプ２５０は、増幅した信号を増幅装置１００の外部および直交復調器２６０のそれぞれへ出力する。直交復調器２６０は、アンプ２５０から出力された信号を直交復調する。そして、直交復調器２６０は、直交復調によって得られたＩｃｈ信号を比較器２２１へ出力するとともに、直交復調によって得られたＱｃｈ信号を比較器２２２へ出力する。
【００４０】
測定器２７０は、ループゲイン用アンプ２３１から直交変調器２４０へ出力されたＩｃｈ信号と、ループゲイン用アンプ２３２から直交変調器２４０へ出力されたＱｃｈ信号と、を取得する。そして、測定器２７０は、取得した各信号の電力（たとえば瞬時電力）を測定し、測定した電力を比較器２８０へ出力する。Ｉｃｈ信号の電力をＶｉとし、Ｑｃｈ信号の電力をＶｑとすると、測定器２７０は、たとえばＶｉ２＋Ｖｑ２を測定する。
【００４１】
比較器２８０には、あらかじめ定められた電力閾値と、測定器２７０から出力された電力と、が入力される。比較器２８０へ入力される電力閾値は、たとえば、アンプ２５０における飽和電力付近の電力になっている。比較器２８０は、測定器２７０から出力された電力が電力閾値を超えた場合はクリッピング回路２１０へレベルダウン信号を出力する。また、比較器２８０は、測定器２７０から出力された電力が電力閾値以下である場合はクリッピング回路２１０へレベルアップ信号を出力する。
【００４２】
（増幅装置の動作）
図３は、図２に示した増幅装置の動作の一例を示すフローチャートである。まず（ＳＴＡＲＴ）、測定器２７０が、Ｉｃｈ信号およびＱｃｈ信号の瞬時電力を測定する（ステップＳ３０１）。つぎに、比較器２８０が、ステップＳ３０１によって測定された瞬時電力が電力閾値より大きいか否かを判断する（ステップＳ３０２）。
【００４３】
ステップＳ３０２において、測定された瞬時電力が電力閾値より大きい場合（ステップＳ３０２：Ｙｅｓ）は、比較器２８０が、クリッピング回路２１０へレベルダウン信号を出力する（ステップＳ３０３）。つぎに、クリッピング回路２１０が、クリッピングレベルをダウンさせ（ステップＳ３０４）、ステップＳ３０１へ戻って処理を続行する。
【００４４】
ステップＳ３０２において、測定された瞬時電力が電力閾値以下である場合（ステップＳ３０２：Ｎｏ）は、比較器２８０が、クリッピング回路２１０へレベルアップ信号を出力する（ステップＳ３０５）。つぎに、クリッピング回路２１０が、クリッピングレベルをアップさせ（ステップＳ３０６）、ステップＳ３０１へ戻って処理を続行する。
【００４５】
以上のステップにより、測定器２７０によって測定された電力が電力閾値を超えた場合に、クリッピング回路２１０におけるクリッピングレベルをダウンさせることができる。これにより、測定器２７０によって測定される電力が電力閾値以下になるように入力信号の波形をクリッピングすることができる。
【００４６】
（アンプにおける増幅の効率）
図４は、図３に示したアンプにおける増幅の効率を示すグラフである。図４において、横軸は、アンプ２５０へ入力される信号の電力（入力電力）を示している。縦軸はアンプ２５０における増幅の効率を示している。特性４１１〜４１３は、アンプ２５０における入力電力に対する増幅の効率の特性を示している。
【００４７】
アンプ２５０における入力電力に対する増幅の効率の特性は、温度や電源電圧などによって特性４１１〜４１３のように変化する。たとえば、アンプ２５０における入力電力に対する増幅の効率の特性が、初期状態で特性４１１となっていたとする。この場合は、クリッピング回路２１０におけるクリッピングレベルは比較的高めに設定され、アンプ２５０における入力電力は比較的高い電力Ｐ１となる。
【００４８】
この後に、温度や電源電圧などによって特性４１１から特性４１３へ変化したとする。この場合は、低い入力電力において増幅の効率が飽和するため、負帰還ループ内の信号の電力が急激に上昇する。そして、測定器２７０によって測定される電力が急激に上昇し、比較器２８０からレベルダウンが出力される。
【００４９】
これにより、クリッピング回路２１０におけるクリッピングレベルが低くなるため、アンプ２５０へ入力される信号の最大電力は比較的低い電力Ｐ２となる。平均電力Ｐ３は、アンプ２５０へ入力される信号の平均電力を示している。クリッピング回路２１０は信号の波形をクリッピングするため、クリッピング回路２１０におけるクリッピングレベルが変化してもアンプ２５０へ入力される信号の平均電力はほとんど変化しない。
【００５０】
このため、平均電力Ｐ３は、アンプ２５０の特性が特性４１３であっても、アンプ２５０の特性が特性４１１である場合とほとんど変わらない。このため、たとえば信号レベル自体を制御する方法と比べて、平均電圧Ｐ３の低下を抑えることができる。このため、信号の電力を安定させつつ信号の波形の歪を補償することができる。
【００５１】
効率Ｅ１は、アンプ２５０の特性が特性４１１である場合のアンプ２５０における増幅の効率を示している。効率Ｅ２は、アンプ２５０の特性が特性４１３であり、クリッピングした場合のアンプ２５０における増幅の効率を示している。効率Ｅ３は、アンプ２５０の特性が特性４１３であり、クリッピングしない場合のアンプ２５０における増幅の効率を示している（アンプ２５０における入力電力をＰ４とする）。増幅装置１００においては、アンプ２５０の特性が特性４１３であっても平均電力Ｐ３の低下を回避することができるため、アンプ２５０における効率をＥ３からＥ２へ向上させることができる。
【００５２】
このように、実施の形態２にかかる増幅装置１００によれば、アンプ２５０へ入力される入力信号の波形をクリッピングすることで、負帰還ループ内の信号のレベルが過剰に大きくなることを回避することができる。このため、負帰還ループ内の信号のレベルが過剰に大きくなってアンプ２５０の前段の部品が破壊されることを回避することができる。
【００５３】
また、温度変化などによってアンプ２５０の特性が変化しても安定して動作させることができるため、アンプ２５０における飽和領域付近の電力で増幅を行うことが可能になる。これにより、アンプ２５０における増幅効率を向上させることができる。
【００５４】
また、負帰還ループの前段において入力信号の波形をクリッピングすることで、負帰還ループ内の信号の劣化を抑えることができる。また、クリッピング回路２１０を負帰還ループの前段に設けることで、クリッピング回路２１０によって帯域が広がった信号の帯域を制限するフィルタを負帰還ループの前段に設けることが可能になる。このため、クリッピング回路２１０によって帯域が広がった信号の帯域を制限するフィルタを設けても、負帰還ループ内の信号の劣化を抑えることができる。
【００５５】
（実施の形態３）
（増幅装置の構成）
図５は、実施の形態３にかかる増幅装置の構成を示すブロック図である。図５において、図２に示した構成と同様の構成については同一の符号を付して説明を省略する。図５に示すように、実施の形態３にかかる増幅装置１００は、図２に示した増幅装置１００の構成に加えて算出器５１０を備えている。クリッピング回路２１０は、算出器５１０から出力されたクリッピングレベルＶｔｈをクリッピングレベルとして設定する。
【００５６】
比較器２８０は、レベルダウン信号およびレベルアップ信号を算出器５１０へ出力する。算出器５１０は、クリッピング回路２１０におけるクリッピングレベルＶｔｈを算出する。具体的には、算出器５１０は、比較器２８０からレベルダウン信号が出力された場合はクリッピングレベルＶｔｈをダウンさせ、比較器２８０からレベルアップ信号が出力された場合はクリッピングレベルＶｔｈをアップさせる。算出器５１０は、算出したクリッピングレベルＶｔｈをクリッピング回路２１０へ出力する。
【００５７】
（増幅装置の動作）
図６は、図５に示した増幅装置の動作の一例を示すフローチャートである。まず（ＳＴＡＲＴ）、測定器２７０が、Ｉｃｈ信号およびＱｃｈ信号の瞬時電力を測定する（ステップＳ６０１）。つぎに、比較器２８０が、ステップＳ６０１によって測定された瞬時電力が電力閾値より大きいか否かを判断する（ステップＳ６０２）。
【００５８】
ステップＳ６０２において、測定された瞬時電力が電力閾値より大きい場合（ステップＳ６０２：Ｙｅｓ）は、比較器２８０が、算出器５１０へレベルダウン信号を出力し（ステップＳ６０３）、ステップＳ６０５へ移行する。測定された瞬時電力が電力閾値以下である場合（ステップＳ６０２：Ｎｏ）は、比較器２８０が、算出器５１０へレベルアップ信号を出力する（ステップＳ６０４）。
【００５９】
つぎに、算出器５１０が、クリッピングレベルを算出する（ステップＳ６０５）。具体的には、算出器５１０は、ステップＳ６０３によってレベルダウン信号が出力された場合はクリッピングレベルをダウンさせ、ステップＳ６０４によってレベルアップ信号が出力された場合はクリッピングレベルをアップさせる。
【００６０】
つぎに、クリッピング回路２１０が、ステップＳ６０５によって算出されたクリッピングレベルを設定し（ステップＳ６０６）、ステップＳ６０１へ戻って処理を続行する。以上のステップにより、測定器２７０によって測定された電力が電力閾値を超えた場合に、クリッピング回路２１０におけるクリッピングレベルをダウンさせることができる。これにより、測定器２７０によって測定される電力が電力閾値以下になるように入力信号の波形をクリッピングすることができる。
【００６１】
このように、実施の形態３にかかる増幅装置１００によれば、実施の形態２にかかる増幅装置１００と同様の効果を得ることができる。また、クリッピング回路２１０のクリッピングレベルを算出器５１０によって算出することで、クリッピング回路２１０のクリッピングレベルを柔軟に変更することが可能になる。
【００６２】
（実施の形態４）
（増幅装置の構成）
図７は、実施の形態４にかかる増幅装置の構成を示すブロック図である。図７において、図２に示した構成と同様の構成については同一の符号を付して説明を省略する。実施の形態４にかかる増幅装置１００は、図２に示した増幅装置１００の構成に加えてフィルタ７１０を備えている。フィルタ７１０は、比較器２２１，２２２とクリッピング回路２１０との間に設けられている。フィルタ７１０は、たとえばローパスフィルタである。
【００６３】
フィルタ７１０は、クリッピング回路２１０によって波形をクリッピングされた入力信号の帯域を制限する。具体的には、フィルタ７１０は、クリッピング回路２１０から比較器２２１，２２２へ出力されたＩｃｈ信号およびＱｃｈ信号を通過させ、通過させたＩｃｈ信号およびＱｃｈ信号の帯域を制限する。
【００６４】
これにより、クリッピング回路２１０のクリッピングによってＩｃｈ信号およびＱｃｈ信号の帯域が広がっても、フィルタ７１０によってＩｃｈ信号およびＱｃｈ信号の帯域を制限し、システムにおいて要求される信号帯域の条件を満たすようにすることができる。
【００６５】
また、フィルタ７１０を負帰還ループの前段に設けることによって、負帰還ループの動作に影響を与えずにＩｃｈ信号およびＱｃｈ信号の帯域を制限することができる。また、増幅装置１００は、図７に示した構成に加えて算出器５１０を備えていてもよい。この場合の構成については、図５において説明したとおりであるため説明を省略する。
【００６６】
（信号の帯域の制限）
図８は、図７に示した増幅装置における信号のスペクトラムを示すグラフである。図８において、横軸は信号の周波数を示し、縦軸は信号の電力を示している。スペクトラム８１０は、増幅装置１００へ入力された信号（Ｖｉ２＋Ｖｑ２）のスペクトラムを示している。スペクトラム８１０に示す信号は、帯域が広がっておらず、システムにおいて要求される信号帯域の条件を満たしているとする。
【００６７】
スペクトラム８２０は、スペクトラム８１０に示した信号をクリッピング回路２１０によってクリッピングした信号のスペクトラムを示している。スペクトラム８２０に示すように、クリッピング回路２１０によってクリッピングした信号のスペクトラム８２０は、スペクトラム８１０に比べて帯域が広がっている。
【００６８】
スペクトラム８３０は、スペクトラム８２０に示した信号をフィルタ７１０に通した信号のスペクトラムを示している。スペクトラム８３０に示すように、フィルタ７１０を通した信号のスペクトラム８３０は、スペクトラム８２０に比べて帯域が狭くなっている。
【００６９】
このように、クリッピング回路２１０の後段にフィルタ７１０を設けることで、クリッピング回路２１０のクリッピングによって広がった信号の帯域を制限することができる。これにより、クリッピング回路２１０によるクリッピングを行っても、システムにおいて要求される信号帯域の条件を満たすようにすることができる。
【００７０】
このように、実施の形態４にかかる増幅装置１００は、比較器２２１，２２２（減算部）とクリッピング回路２１０の間にフィルタ７１０を設けることで、クリッピング回路２１０のクリッピングによって広がった信号の帯域を制限することができる。これにより、クリッピング回路２１０によるクリッピングを行っても、システムにおいて要求される信号帯域の条件を満たすようにすることができる。
【００７１】
また、フィルタ７１０を比較器２２１，２２２（減算部）の前段に設けることによって、負帰還ループの動作に影響を与えずにＩｃｈ信号およびＱｃｈ信号の帯域を制限することができる。このため、負帰還ループ内の信号の劣化を抑えつつ、負帰還ループ内の信号のレベルが過剰に大きくなることを回避することができる。
【００７２】
（実施の形態５）
（増幅装置の構成）
図９は、実施の形態５にかかる増幅装置の構成を示すブロック図である。図９において、図２に示した構成と同様の構成については同一の符号を付して説明を省略する。図９に示すように、実施の形態５にかかる増幅装置１００は、図２に示した増幅装置１００の構成に加えて可変フィルタ９１０を備えている。
【００７３】
比較器２８０は、レベルダウン信号およびレベルアップ信号を、クリッピング回路２１０および可変フィルタ９１０のそれぞれへ出力する。可変フィルタ９１０は、比較器２２１，２２２とクリッピング回路２１０との間に設けられ、クリッピング回路２１０によって波形をクリッピングされた入力信号の帯域を制限する。
【００７４】
具体的には、可変フィルタ９１０は、クリッピング回路２１０から比較器２２１，２２２へ出力されたＩｃｈ信号およびＱｃｈ信号を通過させ、通過させたＩｃｈ信号およびＱｃｈ信号の帯域を制限する。これにより、クリッピング回路２１０のクリッピングによってＩｃｈ信号およびＱｃｈ信号の帯域が広がっても、可変フィルタ９１０によってＩｃｈ信号およびＱｃｈ信号の帯域を制限することができる。
【００７５】
また、可変フィルタ９１０は、Ｉｃｈ信号およびＱｃｈ信号に対するフィルタ帯域が可変である。可変フィルタ９１０は、比較器２８０からレベルダウン信号が出力されるとフィルタ帯域を小さくする。また、可変フィルタ９１０は、比較器２８０からレベルアップ信号が出力されるとフィルタ帯域を大きくする。
【００７６】
これにより、クリッピング回路２１０におけるクリッピングレベルがダウンするときは可変フィルタ９１０のフィルタ帯域を小さくし、クリッピングレベルがアップするときは可変フィルタ９１０のフィルタ帯域を大きくすることができる。また、増幅装置１００は、図９に示した増幅装置１００の構成に加えて算出器５１０を備えていてもよい。
【００７７】
（増幅装置の動作）
図１０は、図９に示した増幅装置の動作の一例を示すフローチャートである。まず（ＳＴＡＲＴ）、測定器２７０が、Ｉｃｈ信号およびＱｃｈ信号の瞬時電力を測定する（ステップＳ１００１）。つぎに、比較器２８０が、ステップＳ１００１によって測定された瞬時電力が電力閾値より大きいか否かを判断する（ステップＳ１００２）。
【００７８】
ステップＳ１００２において、瞬時電力が電力閾値より大きい場合（ステップＳ１００２：Ｙｅｓ）は、比較器２８０が、クリッピング回路２１０へレベルダウン信号を出力する（ステップＳ１００３）。つぎに、クリッピング回路２１０が、クリッピングレベルをダウンさせる（ステップＳ１００４）。つぎに、可変フィルタ９１０が、フィルタ帯域を小さくし（ステップＳ１００５）、ステップＳ１００１へ戻って処理を続行する。
【００７９】
ステップＳ１００２において、瞬時電力が電力閾値以下である場合（ステップＳ１００２：Ｎｏ）は、比較器２８０が、クリッピング回路２１０へレベルアップ信号を出力する（ステップＳ１００６）。つぎに、クリッピング回路２１０が、クリッピングレベルをアップさせる（ステップＳ１００７）。つぎに、可変フィルタ９１０が、フィルタ帯域を大きくし（ステップＳ１００８）、ステップＳ１００１へ戻って処理を続行する。
【００８０】
以上のステップにより、測定された電力が電力閾値を超えた場合に、クリッピング回路２１０におけるクリッピングレベルをダウンさせるとともに可変フィルタ９１０のフィルタ帯域を小さくすることができる。クリッピング回路２１０におけるクリッピングレベルがアップするときは可変フィルタ９１０のフィルタ帯域を大きくすることができる。
【００８１】
（信号の帯域の制限）
図１１は、図９に示した増幅装置における信号のスペクトラムを示すグラフである。図１１において、横軸は信号の周波数を示し、縦軸は信号の電力を示している。スペクトラム１１１０は、増幅装置１００へ入力された信号（Ｖｉ２＋Ｖｑ２）のスペクトラムを示している。スペクトラム１１１０に示す信号は、帯域が広がっておらず、システムにおいて要求される信号帯域の条件を満たしているとする。
【００８２】
スペクトラム１１２０は、スペクトラム１１１０に示した信号を、クリッピング回路において高いクリッピングレベルによってクリッピングした信号のスペクトラムを示している。スペクトラム１１２０に示すように、高いクリッピングレベルでクリッピングされた信号のスペクトラム１１２０は、スペクトラム１１１０より帯域が少し広がっている。
【００８３】
スペクトラム１１３０は、スペクトラム１１１０に示した信号を、クリッピング回路において低いクリッピングレベルによってクリッピングした信号のスペクトラムを示している。スペクトラム１１３０に示すように、低いクリッピングレベルでクリッピングされた信号のスペクトラム１１３０は、帯域の広がりがスペクトラム１１２０より大きい。
【００８４】
これに対して、可変フィルタ９１０は、クリッピング回路２１０におけるクリッピングレベルがダウンするときはフィルタ帯域を小さくし、クリッピング回路２１０におけるクリッピングレベルがアップするときはフィルタ帯域を大きくすることができる。スペクトラム１１４０は、スペクトラム１１２０またはスペクトラム１１３０に示す信号を可変フィルタ９１０によって帯域制限した信号を示している。
【００８５】
これにより、クリッピング回路２１０におけるクリッピングによる帯域の広がりに応じて、可変フィルタ９１０によって信号の帯域を制限することができる。このため、クリッピング回路２１０のクリッピングレベルが変化しても、信号の帯域を柔軟に制御することで、システムにおいて要求される信号帯域の条件を満たすようにすることができる。
【００８６】
（可変フィルタの具体例）
図１２は、図９に示した可変フィルタの具体例を示すブロック図である。図１２に示すように、可変フィルタ９１０は、たとえば、フリップフロップ回路１２１１〜１２１ｎ（ＦＦ）と、乗算回路１２２０〜１２２ｎと、加算回路１２３０と、を備えたＦＩＲ（Ｆｉｎｉｔｅ  Ｉｍｐｕｌｓｅ  Ｒｅｓｐｏｎｓｅ：有限インパルス応答）フィルタである。
【００８７】
可変フィルタ９１０へ入力された信号（Ｉｃｈ信号またはＱｃｈ信号）は、フリップフロップ回路１２１１と乗算回路１２２０のそれぞれへ入力される。フリップフロップ回路１２１１〜１２１ｎのそれぞれは、互いに直列に接続された遅延回路である。乗算回路１２２０には、可変フィルタ９１０へ入力された信号と、タップ係数Ｃ０と、が入力される。乗算回路１２２１〜１２２ｎには、それぞれフリップフロップ回路１２１１〜１２１ｎから出力された信号と、タップ係数Ｃ１〜Ｃｎと、が入力される。
【００８８】
乗算回路１２２０〜１２２ｎのそれぞれは、入力された信号とタップ係数とを乗算して加算回路１２３０へ出力する。加算回路１２３０は、乗算回路のそれぞれから出力された信号を加算して後段（比較器２２１または比較器２２２）へ出力する。タップ係数Ｃ０〜Ｃｎを変化させることで、可変フィルタ９１０のフィルタ帯域を調整することができる。
【００８９】
このように、実施の形態５にかかる増幅装置１００は、比較器２２１，２２２（減算部）の前段に設けるフィルタを、クリッピング回路２１０のクリッピングレベルに応じてフィルタ形状を変化させる可変フィルタ９１０とする。これにより、信号の帯域の広がりに応じてフィルタ形状を変化させることができる。
【００９０】
このため、実施の形態２にかかる増幅装置１００の効果を奏するとともに、クリッピング回路２１０のクリッピングレベルが変化しても、システムにおいて要求される信号帯域の条件を満たすようにすることができる。
【００９１】
また、可変フィルタ９１０のフィルタ形状としてフィルタ帯域を変化させる場合について説明したが、変化させる可変フィルタ９１０のフィルタ形状は、フィルタ特性（周波数に対する減衰率）の急峻さなどであってもよい。
【００９２】
（実施の形態６）
（増幅装置の構成）
図１３は、実施の形態６にかかる増幅装置の構成を示すブロック図である。図１３において、図５または図９に示した構成と同様の構成については同一の符号を付して説明を省略する。実施の形態６にかかる増幅装置１００は、図９に示した増幅装置１００の構成に加えて算出器５１０を備えている。算出器５１０は、算出したクリッピングレベルＶｔｈを、クリッピング回路２１０および可変フィルタ９１０のそれぞれへ出力する。
【００９３】
可変フィルタ９１０は、算出器５１０から出力されたクリッピングレベルＶｔｈに応じたフィルタ帯域を設定する。たとえば、可変フィルタ９１０は、算出器５１０から高いクリッピングレベルＶｔｈが出力された場合は大きなフィルタ帯域を設定し、算出器５１０から低いクリッピングレベルＶｔｈが出力された場合は小さなフィルタ帯域を設定する。
【００９４】
（増幅装置の動作）
図１４は、図１３に示した増幅装置の動作の一例を示すフローチャートである。図１４に示すステップＳ１４０１〜Ｓ１４０６は、図６に示したステップＳ６０１〜Ｓ６０６と同様であるため説明を省略する。ステップＳ１４０６によってクリッピングレベルを設定した後、つぎに、可変フィルタ９１０が、ステップＳ１４０５によって算出されたクリッピングレベルに応じたフィルタ帯域を設定し（ステップＳ１４０７）、ステップＳ１４０１へ戻って処理を続行する。
【００９５】
このように、実施の形態６にかかる増幅装置１００によれば、実施の形態５にかかる増幅装置１００と同様の効果を得ることができる。また、クリッピング回路２１０のクリッピングレベルを算出器５１０によって算出し、算出したクリッピングレベルに応じたフィルタ形状を可変フィルタ９１０に設定することができる。これにより、クリッピング回路２１０のクリッピングレベルに応じてフィルタ形状を柔軟に変化させることができる。
【００９６】
このため、クリッピング回路２１０のクリッピングレベルが変化しても、システムにおいて要求される信号帯域の条件を満たすようにすることができる。また、可変フィルタ９１０のフィルタ形状としてフィルタ帯域を変化させる場合について説明したが、変化させる可変フィルタ９１０のフィルタ形状は、フィルタ特性の急峻さなどであってもよい。
【００９７】
（実施の形態７）
（増幅装置の構成）
図１５は、実施の形態７にかかる増幅装置の構成を示すブロック図である。図１５において、図２に示した構成と同様の構成については同一の符号を付して説明を省略する。図１５に示すように、実施の形態７にかかる増幅装置１００は、図２に示した構成において、クリッピング回路２１０に代えてＰＡＰＲリダクション回路１５１０を備えている。
【００９８】
ＰＡＰＲリダクション回路１５１０は、ピーク電力と平均電力との比が大きい変調方式（たとえばＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）において、システムにおいて要求されるＥＶＭ（Ｅｒｒｏｒ  Ｖｅｃｔｏｒ  Ｍａｇｎｉｔｕｄｅ）やスペクトラムマスクなどの仕様を満たす範囲で、ピーク電力と平均電力との比を小さくする。
【００９９】
ＰＡＰＲリダクション回路１５１０は、原理的な構成としては、クリッピング回路とフィルタを組み合わせたものである。具体的には、ＰＡＰＲリダクション回路１５１０は、入力された各信号のピーク電力を抑えることで、各信号のピーク電力と平均電力の比を小さくする。したがって、ＰＡＰＲリダクション回路１５１０によって各信号のピーク電力と平均電力の比を小さくする動作によって、各信号のクリッピングを行うことができる。また、ＰＡＰＲリダクション回路１５１０は、各信号の帯域の制限も行う。
【０１００】
アンプ２５０へ入力されるＩｃｈ信号およびＱｃｈ信号は、アンプ２５０において歪が容認できる入力電圧の上限にピーク電力を合わせることになるため、ピーク電力と平均電力の比が小さくなれば、大きな平均電力で同じアンプ２５０を使うことができる。このため、アンプ２５０を効率よく使うことができる。
【０１０１】
ＰＡＰＲリダクション回路１５１０は、通常、システムにおいて要求されるＥＶＭやスペクトラムマスクなどの仕様を満たす範囲において、ピーク電力と平均電力との比が最も小さくなるまでクリッピングを行うように設計される。したがって、比較器２８０からレベルダウン信号が出力され、信号のピーク電力をさらに小さくすると、システムにおいて要求されるＥＶＭやスペクトラムマスクなどの仕様を満たすことができなくなる。
【０１０２】
これに対して、たとえば、アンプ２５０の飽和電力が最も低くなる場合（たとえば図４の特性４１３）を基準にして、ＰＡＰＲリダクション回路１５１０における初期状態のクリッピングレベルを設定する。この場合は、ＰＡＰＲリダクション回路１５１０のクリッピングレベルが初期状態よりも常に高くなる。このため、ＥＶＭやスペクトラムマスクなどの条件も、初期状態に対して常に良好にすることができる。
【０１０３】
図１６は、ＰＡＰＲリダクション回路によるクリッピングを示す図である。図１６において、波形１６１０は、ＰＡＰＲリダクション回路１５１０へ入力された信号（Ｉｃｈ信号またはＱｃｈ信号）の波形を示している。図１５に示したＰＡＰＲリダクション回路１５１０は、たとえば、波形１６１０のクリップレベルを超えた部分をそのまま取り除くものであってもよい。この場合は、ＰＡＰＲリダクション回路１５１０によってクリッピングされた信号は波形１６２０のようになる。
【０１０４】
または、ＰＡＰＲリダクション回路１５１０は、たとえば、波形１６１０のクリップレベルを超えた部分を、クリッピング後の波形がなだらかになるように取り除くものであってもよい。この場合は、ＰＡＰＲリダクション回路１５１０によってクリッピングされた信号は波形１６３０のようになる。また、ＰＡＰＲリダクション回路１５１０は、クリッピングとフィルタリングを複数回繰り返すものであってもよい。
【０１０５】
このように、実施の形態７にかかる増幅装置１００によれば、クリッピング回路２１０に代えてＰＡＰＲリダクション回路１５１０を設けることで、実施の形態２にかかる増幅装置１００と同様の効果を得ることができる。また、ＰＡＰＲリダクション回路１５１０をクリッピング回路として用いることで、従来のＰＡＰＲリダクション回路１５１０を備える増幅装置に対して新たなクリッピング回路を設けなくても実現することができる。
【０１０６】
（実施の形態８）
（増幅装置の構成）
図１７は、実施の形態８にかかる増幅装置の構成を示すブロック図である。図１７において、図５に示した構成と同様の構成については同一の符号を付して説明を省略する。図１７に示すように、実施の形態８にかかる増幅装置１００は、図５に示した増幅装置１００の構成に加えて、電力制御回路１７１０と、ＥＶＭ測定器１７２０と、比較器１７３０と、電力算出器１７４０と、を備えている。
【０１０７】
クリッピング回路２１０は、波形をクリッピングしたＩｃｈ信号およびＱｃｈ信号を電力制御回路１７１０へ出力する。電力制御回路１７１０は、クリッピング回路２１０から出力されたＩｃｈ信号およびＱｃｈ信号の電力を制御する。電力制御回路１７１０は、電力を制御したＩｃｈ信号およびＱｃｈ信号をそれぞれ比較器２２１，２２２へ出力する。
【０１０８】
ＥＶＭ測定器１７２０は、電力制御回路１７１０から比較器２２１，２２２へ出力されるＩｃｈ信号およびＱｃｈ信号のＥＶＭを測定し、測定したＥＶＭを比較器１７３０へ出力する。比較器１７３０には、ＥＶＭ測定器１７２０から出力されたＥＶＭと、システムにおいて要求されるＥＶＭに相当するＥＶＭ閾値と、が入力される。
【０１０９】
比較器１７３０へ入力されるＥＶＭ閾値は、変調方式や誤り訂正方式などによってあらかじめ定められる。比較器１７３０は、ＥＶＭ測定器１７２０から出力されたＥＶＭとＥＶＭ閾値とを比較し、比較結果を算出器５１０および電力算出器１７４０へ出力する。
【０１１０】
算出器５１０は、比較器２８０からレベルダウン信号が出力された場合に、比較器１７３０から出力された比較結果に基づいて、ＥＶＭがＥＶＭ閾値に対してマージンがあるか否かを判断する。そして、算出器５１０は、ＥＶＭがＥＶＭ閾値に対してマージンがあると判断した場合は、算出するクリッピングレベルをダウンさせ、ＥＶＭがＥＶＭ閾値に対してマージンがないと判断した場合は、算出するクリッピングレベルを維持する。
【０１１１】
電力算出器１７４０は、比較器２８０からレベルダウン信号が出力された場合に、比較器１７３０から出力された比較結果に基づいて、ＥＶＭがＥＶＭ閾値に対してマージンがあるか否かを判断する。そして、電力算出器１７４０は、ＥＶＭがＥＶＭ閾値に対してマージンがないと判断した場合は算出する電力をダウンさせ、ＥＶＭがＥＶＭ閾値に対してマージンがあると判断した場合は算出する電力を維持する。
【０１１２】
また、増幅装置１００は、図１７に示した構成に加えてフィルタ７１０を備えていてもよい。この場合の構成については、図７において説明したとおりであるため説明を省略する。また、増幅装置１００は、図１７に示したクリッピング回路２１０に代えてＰＡＰＲリダクション回路１５１０を備えていてもよい。この場合の構成については、図１５において説明したとおりであるため説明を省略する。
【０１１３】
（増幅装置の動作）
図１８は、図１７に示した増幅装置の動作の一例を示すフローチャートである。まず（ＳＴＡＲＴ）、測定器２７０が、Ｉｃｈ信号およびＱｃｈ信号の瞬時電力を測定する（ステップＳ１８０１）。つぎに、比較器２８０が、ステップＳ１８０１によって測定された瞬時電力が電力閾値より大きいか否かを判断する（ステップＳ１８０２）。
【０１１４】
ステップＳ１８０２において、測定された瞬時電力が電力閾値より大きい場合（ステップＳ１８０２：Ｙｅｓ）は、比較器２８０が、クリッピング回路２１０へレベルダウン信号を出力する（ステップＳ１８０３）。つぎに、ＥＶＭ測定器１７２０から出力されたＥＶＭのＥＶＭ閾値に対するマージンがあるか否かを判断する（ステップＳ１８０４）。
【０１１５】
ステップＳ１８０４において、ＥＶＭ測定器１７２０から出力されたＥＶＭのＥＶＭ閾値に対するマージンがある場合（ステップＳ１８０４：Ｙｅｓ）は、算出器５１０が、算出するクリッピングレベルをダウンさせる（ステップＳ１８０５）。つぎに、クリッピング回路２１０が、ステップＳ１８０５によって算出されたクリッピングレベルを設定し（ステップＳ１８０６）、ステップＳ１８０１へ戻って処理を続行する。
【０１１６】
ステップＳ１８０４において、ＥＶＭ測定器１７２０から出力されたＥＶＭのＥＶＭ閾値に対するマージンがない場合（ステップＳ１８０４：Ｎｏ）は、電力算出器１７４０が、算出する電力をダウンさせる（ステップＳ１８０７）。つぎに、電力制御回路１７１０が、ステップＳ１８０７によって算出された電力を設定し（ステップＳ１８０８）、ステップＳ１８０１へ戻って処理を続行する。
【０１１７】
ステップＳ１８０２において、測定された瞬時電力が電力閾値以下である場合（ステップＳ１８０２：Ｎｏ）は、比較器２８０が、クリッピング回路２１０へレベルアップ信号を出力する（ステップＳ１８０９）。つぎに、電力算出器１７４０が、ステップＳ１８０７によって電力をダウンさせたか否かを判断する（ステップＳ１８１０）。
【０１１８】
ステップＳ１８１０において、電力をダウンさせていた場合（ステップＳ１８１０：Ｙｅｓ）は、電力算出器１７４０が、算出する電力をアップさせる（ステップＳ１８１１）。つぎに、電力制御回路１７１０が、ステップＳ１８１１によって算出された電力を設定し（ステップＳ１８１２）、ステップＳ１８０１へ戻って処理を続行する。
【０１１９】
ステップＳ１８１０において、電力をダウンさせていない場合（ステップＳ１８１０：Ｎｏ）は、算出器５１０が、算出するクリッピングレベルをアップさせる（ステップＳ１８１３）。つぎに、クリッピング回路２１０が、ステップＳ１８１３によって算出されたクリッピングレベルを設定し（ステップＳ１８１４）、ステップＳ１８０１へ戻って処理を続行する。
【０１２０】
このように、実施の形態８にかかる増幅装置１００は、クリッピング回路２１０によって波形をクリッピングされた信号の通信品質をＥＶＭ測定器１７２０（品質測定部）によって測定する。そして、算出器５１０（制御部）が、測定された通信品質が閾値以上となる範囲でクリッピング回路２１０におけるクリッピングレベルを制御する。
【０１２１】
これにより、信号の通信品質は閾値以上に維持しつつ、実施の形態２にかかる増幅装置１００と同様の効果を得ることができる。また、通信品質としてＥＶＭを測定する場合について説明したが、測定する通信品質は、信号の通信品質を示す他の値であってもよい。
【０１２２】
また、通信品質の閾値に対するマージンがなく、それ以上クリッピングレベルをダウンさせることができない場合は、電力制御回路１７１０によって各信号の電力をダウンさせる。これにより、負帰還ループ内の信号のレベルが過剰に大きくなることを回避することができる。このため、負帰還ループ内の信号のレベルが過剰に大きくなってアンプ２５０の前段の部品が破壊されることを回避することができる。
【０１２３】
以上説明したように、増幅装置によれば、負帰還ループ内の信号の劣化を抑えつつ、負帰還ループ内の信号のレベルが過剰に大きくなることを回避することができる。
【０１２４】
なお、上述した実施の形態２〜８においては、増幅装置１００は、入力されたＩｃｈ信号およびＱｃｈ信号の波形の歪を補償するとともに直交変調するものとして説明したが、増幅装置１００はこのような構成に限らない。たとえば、増幅装置１００には、１系統の信号が入力され、増幅装置１００は、入力された信号の波形の歪を補償するものであってもよい。上述した実施の形態に関し、さらに以下の付記を開示する。
【０１２５】
（付記１）入力信号を増幅する増幅器と、
前記増幅器へ入力される前記入力信号を、前記増幅器によって増幅された信号により減算する減算部と、
前記減算部によって減算された前記入力信号の電力を測定する測定部と、
前記測定部によって測定された電力に基づいて、前記減算部によって減算される前の前記入力信号の波形をクリッピングするクリッピング回路と、
を備えることを特徴とする増幅装置。
【０１２６】
（付記２）前記クリッピング回路は、前記測定部によって測定された電力が電力閾値を超えた場合に、前記測定部によって測定される電力が電力閾値以下になるように前記入力信号の波形をクリッピングすることを特徴とする付記１に記載の増幅装置。
【０１２７】
（付記３）前記減算部と前記クリッピング回路の間に設けられ、前記入力信号の帯域を制限するフィルタを備えることを特徴とする付記１に記載の増幅装置。
【０１２８】
（付記４）前記クリッピング回路は、前記測定部によって測定された電力に基づいてクリッピングレベルを変化させ、
前記フィルタは、前記クリッピングレベルの変化に応じてフィルタ形状を変化させる可変フィルタであることを特徴とする付記３に記載の増幅装置。
【０１２９】
（付記５）前記クリッピング回路によって波形をクリッピングされた信号の通信品質を測定する品質測定部と、
前記品質測定部によって測定された通信品質が閾値以上となる範囲で前記クリッピング回路におけるクリッピングレベルを制御する制御部と、
を備えることを特徴とする付記１に記載の増幅装置。
【０１３０】
（付記６）前記クリッピング回路は、前記測定部によって測定された電力に基づいてクリッピングレベルを変化させ、前記クリッピングレベルをアップさせる場合は、前記クリッピングレベルをダウンさせる場合より低速で前記クリッピングレベルを変化させることを特徴とする付記１に記載の増幅装置。
【符号の説明】
【０１３１】
１００  増幅装置
１１０  増幅器
１２０  減算部
１３０  測定部
１４０，２１０  クリッピング回路
２２１，２２２，２８０，１７３０  比較器
２３１，２３２  ループゲイン用アンプ
２４０  直交変調器
２５０  アンプ
２６０  直交復調器
２７０  測定器
４１１，４１２，４１３  特性
５１０  算出器
７１０  フィルタ
８１０，８２０，８３０，１１１０，１１２０，１１３０  スペクトラム
９１０  可変フィルタ
１２１１〜１２１ｎ  フリップフロップ回路
１２２０〜１２２ｎ  乗算回路
１２３０  加算回路
１５１０  ＰＡＰＲリダクション回路
１６１０，１６２０，１６３０  波形
１７１０  電力制御回路
１７２０  ＥＶＭ測定器
１７４０  電力算出器
Ｐ１，Ｐ２  電力
Ｐ３  平均電力
Ｅ１，Ｅ２  効率
Ｃ０〜Ｃｎ  タップ係数
【図１】
2010226477.tif 000003
【図２】
2010226477.tif 000004
【図３】
2010226477.tif 000005
【図４】
2010226477.tif 000006
【図５】
2010226477.tif 000007
【図６】
2010226477.tif 000008
【図７】
2010226477.tif 000009
【図８】
2010226477.tif 000010
【図９】
2010226477.tif 000011
【図１０】
2010226477.tif 000012
【図１１】
2010226477.tif 000013
【図１２】
2010226477.tif 000014
【図１３】
2010226477.tif 000015
【図１４】
2010226477.tif 000016
【図１５】
2010226477.tif 000017
【図１６】
2010226477.tif 000018
【図１７】
2010226477.tif 000019
【図１８】
2010226477.tif 000020